(57)【要約】【課題】  導通路を流れる気流の速さや気流の方向に応じて好適に外気の吸入を行うことが可能な補助導入開口を備えた送風装置を提供すること。【解決手段】  本発明に係る送風装置１は、多翼ファン９、２５を回転させることにより空気の吸入を行う吸入手段６、２０、と、多翼ファン９、２５を収納すると共に、多翼ファン９、２５の回転に伴って吸入された空気を誘導する導通路１２、２８が多翼ファン９、２５を囲む環状内壁によって形成されたファンケース１１、２７とを有している。多翼ファン９、２５の側部に対向する側面側の環状内壁であって、ファンケース１１、２７内に吸入された空気を排出するための導通路用出口１１ｃ、２７ｃを臨む位置に、ファンケース１１、２７の外部の空気を導き入れるための補助導入開口１３、３０が形成されている。【選択図】  図６
2007270714.tif 000002
【特許請求の範囲】
【請求項１】
多翼ファンを回転させることにより空気の吸入を行う吸入手段と、
前記多翼ファンを収納すると共に、当該多翼ファンの回転に伴って吸入された空気を誘導する導通路が前記多翼ファンを囲む環状内壁によって形成されたファンケースとを有し、
前記多翼ファンの側部に対向する側面側の前記環状内壁であって、前記ファンケース内に吸入された前記空気を排出するための導通路用出口を臨む位置に、前記ファンケースの外部の空気を導き入れるための補助導入開口が形成されること
を特徴とする送風装置。
【請求項２】
多翼ファンを回転させることにより空気の吸入を行う吸入手段と、
前記多翼ファンを収納すると共に、当該多翼ファンの回転に伴って吸入された空気を誘導する導通路が前記多翼ファンを囲む環状内壁により形成されたファンケースとを有し、
前記前記多翼ファンにより前記空気の吸入を行うための吸入開口が形成された上面側の前記環状内壁であって、前記ファンケース内に吸入された前記空気を排出するための導通路用出口を臨む位置に、前記ファンケースの外部の空気を導き入れるための補助導入開口が形成されること
を特徴とする送風装置。
【請求項３】
前記補助導入開口における前記導通路の上流側の側縁部には、前記導通路側に傾斜された傾斜板材が設けられ、
該傾斜板材は、当該傾斜板材の下流側の端部が前記補助導入開口の下流側の側縁部よりも前記導通路用出口寄りに位置するように延設されること
を特徴とする請求項１または請求項２に記載の送風装置。
【請求項４】
前記傾斜板材は、前記補助導入開口の前記上流側の側縁部に傾動可能に設けられていること
を特徴とする請求項３に記載の送風装置。
【請求項５】
前記環状内壁の下面側の内壁には、前記導通路を通過する空気の整流を行う整流手段が設けられること
を特徴とする請求項１ないし請求項４のいずれか１項に記載の送風装置。
【発明の詳細な説明】
【技術分野】
【０００１】
本発明は、多翼ファンを回転させることにより空気の吸入を行う吸入手段と、多翼ファンを収納すると共に多翼ファンの回転に伴って吸入された空気を誘導する導通路が形成されたファンケースとを有する送風装置に関する。
【背景技術】
【０００２】
一般的な浴室には、浴室の換気を行うための送風装置が設けられている。近年では、単に浴室の換気を行うだけでなく、浴室内の空気を暖めることによって衣類を乾かす浴室乾燥機能等を備えた浴室空調装置が多く存在する。
【０００３】
浴室空調装置では、浴室内の空気を吸収するためのファンとしてシロッコファン等の多翼ファンが多く用いられている。シロッコファンは、周縁部に複数の翼が配設された円盤状のファンを回転させることによって、回転中心から周方向へと空気を吸入させる構造となっている。
【０００４】
シロッコファンを使用した浴室空調装置は、その構造から設備の厚み（高さ）を低くすることができるため、装置本体をコンパクトに設計することが容易である。このため、シロッコファンを用いた送風装置は、設置スペースが限られる浴室天井等に設置し易いという特徴を備えている（例えば、特許文献１参照）。
【０００５】
シロッコファンを使用した空調装置では、シロッコファンの外径、高さ、翼の形状によって空気の吸入風量が決定される。従って、空調装置の吸入風量を増加させたい場合には、シロッコファンの外径を広げるか、高さを高くするか、翼形状を変更する必要がある。
【０００６】
しかし、シロッコファンの外径や高さは空調装置本体の寸法に従って決定されるため、簡単に外径および高さを変更することができなかった。また、シロッコファンの翼形状を変更する場合には、ファン設計を新たに行う必要が生ずるため、簡単に変更することが困難であった。
【０００７】
このような問題に対応するために、シロッコファンが収納されるファンケースの内壁面であって、シロッコファンにより吸入された空気を案内する導通路の上流起点付近に、ファンケースの外部の空気を吸入するための補助導入開口（補助風入口）を形成したファン構造が提案されている（例えば、特許文献２参照）。
【特許文献１】特開２００４−３４０４０７号公報（第４−６頁、第１図）
【特許文献２】特開２００６−４６３１７号公報（第５−６頁、第２図、第５図、第６図、第７図）
【発明の開示】
【発明が解決しようとする課題】
【０００８】
しかしながら、導通路の上流起点付近の内壁面に補助導入開口を形成した場合、シロッコファンの回転により導通路を流れる気流は、導通路の上流起点側において気圧が高くなる傾向があるので、補助導入開口から外部の空気を吸入すること困難であるという問題があった。
【０００９】
また、内壁面に補助風入口を形成しても、導通路を流れる気流の速さや気流の方向によって外気を円滑に導入することができない場合があり、必ずしも補助風入口を形成するだけでは空気の風量を増大させることができないという問題があった。
【００１０】
本発明には上記問題に鑑みてなされたものであり、導通路を流れる気流の速さや気流の方向に応じて好適に外気の吸入を行うことが可能な補助導入開口を備えた送風装置を提供することを課題とする。
【課題を解決するための手段】
【００１１】
上記課題を解決するために、本発明に係る送風装置は、多翼ファンを回転させることにより空気の吸入を行う吸入手段と、前記多翼ファンを収納すると共に、当該多翼ファンの回転に伴って吸入された空気を誘導する導通路が前記多翼ファンを囲む環状内壁によって形成されたファンケースとを有し、前記多翼ファンの側部に対向する側面側の前記環状内壁であって、前記ファンケース内に吸入された前記空気を排出するための導通路用出口を臨む位置に、前記ファンケースの外部の空気を導き入れるための補助導入開口が形成されることを特徴とする。
【００１２】
また、本発明に係る送風装置は、多翼ファンを回転させることにより空気の吸入を行う吸入手段と、前記多翼ファンを収納すると共に、当該多翼ファンの回転に伴って吸入された空気を誘導する導通路が前記多翼ファンを囲む環状内壁により形成されたファンケースとを有し、前記前記多翼ファンにより前記空気の吸入を行うための吸入開口が形成された上面側の前記環状内壁であって、前記ファンケース内に吸入された前記空気を排出するための導通路用出口を臨む位置に、前記ファンケースの外部の空気を導き入れるための補助導入開口が形成されることを特徴とする。
【００１３】
また、本発明に係る送風装置は、前記補助導入開口における前記導通路の上流側の側縁部に、前記導通路側に傾斜された傾斜板材が設けられ、該傾斜板材が、当該傾斜板材の下流側の端部が前記補助導入開口の下流側の側縁部よりも前記導通路用出口寄りに位置するように延設されるものであってもよい。
【００１４】
さらに、前記傾斜板材が、前記補助導入開口の前記上流側の側縁部に傾動可能に設けられているものであってもよい。
【００１５】
また、前記環状内壁の下面側の内壁に、前記導通路を通過する空気の整流を行う整流手段が設けられるものであってもよい。
【発明の効果】
【００１６】
本発明に係る送風装置では、多翼ファンの側部に対向する側面側の環状内壁であって、ファンケース内に吸入された空気を排出するための導通路用出口を臨む位置にファンケースの外部の空気を導き入れるための補助導入開口が形成されており、この導通路用出口近傍では導通路を通る空気の排気圧損が低くなって流速が速くなる傾向にあるので、補助導入開口を介してファンケースの外部から積極的に空気を導入することができ、ファンによる導入風量を増大させることが可能となる。
【００１７】
また、多翼ファンにより空気の吸入を行うための吸入開口が形成された上面側の環状内壁であって、ファンケース内に吸入された空気を排出するための導通路用出口を臨む位置に、ファンケースの外部の空気を導き入れるための補助導入開口が形成される場合にも、導通路用出口近傍で導通路を通る空気の排気圧損が低くなって流速が速くなる傾向があるので、補助導入開口を介してファンケースの外部から積極的に空気を導入することができ、ファンによる導入風量を増大させることが可能となる。
【００１８】
さらに、補助導入開口には、傾斜板材が設けられているので、導通路を通過する空気が、安易に補助導入開口より外部に流出してしまうことを防止することができる。特に、傾斜板材の端部が補助導入開口の側縁部よりも導通路用出口寄りに位置するように延設されているので、傾斜部材の表面を沿って流れる空気を傾斜部材の端部で回り込みにくくすることができ、導通路を流れる空気が補助開口から外部に逃げてしまうことをより効果的に抑制することが可能となる。
【００１９】
さらに、傾斜板材が補助導入開口に傾動可能に設けられているので、例えば、ファンの回転速度が速くなって導通路を流れる気流が速くなり、排気圧損が低減する場合には、傾斜板材の傾動角度を大きくして積極的に外気を導入することができる。また、ファンの回転速度が遅くなって導通路を流れる気流が遅くなり、傾斜板材の傾動角度を大きくしても排気圧損が低下せず外気を積極的に導入することが困難である場合には、傾斜板材の傾動角度を小さくして導通路の補助導入開口から空気が漏れたり空気の流れを阻害しないようにし、気流乱れによる騒音の発生を抑制することが可能となる。
【００２０】
また、環状内壁の内壁には、導通路を通過する空気の整流を行う整流手段が設けられているので、補助導入開口を介して導入された空気と導通路を流れてくる空気とが合流して気流の乱れが発生することを防止し、円滑な空気の流れを生じさせることが可能となる。
【発明を実施するための最良の形態】
【００２１】
以下、本発明に係る送風装置を備えた浴室空調装置を、図面を用いて詳細に説明を行う。
【００２２】
図１は、浴室空調装置を示す分解斜視図であり、図２は、図１に示す浴室空調装置のＡ−Ａ断面を示しており、図３は図１に示す浴室空調装置のＢ−Ｂ断面を示している。なお、図２及び図３では、説明のため一部を透視した状態で示し、その該当箇所を破線で示している。
【００２３】
浴室空調装置１は、本体ケース２と、換気ユニット３と、循環ユニット４と、フロントパネル５とを有している。
【００２４】
本体ケース２は、所定の高さを有する箱体であり、不燃性の部材、例えば製造性・コスト等を考慮して鉄等の金属によって構成されている。また、本体ケース２の底面は開放されており、開放された下部開口周縁にはフランジ２ａが形成されている。このフランジには、フロントパネル５を下方より着脱自在に装着することが可能となっている。
【００２５】
本体ケース２は、内部に換気ユニット３と循環ユニット４とを取り付けることが可能な構造となっており、換気ユニット３と循環ユニット４とを内部に設置する場合には、上部に換気ユニット３が設置され、その下に循環ユニット４が設置される。
【００２６】
また、本体ケース２の一側面には、他室内の空気を吸入するための他室排気吸込口２ｃが形成されている。また、本体ケース２の他側面には、換気ユニット３により吸入された空気を浴室空調装置１の外部へ排気するための排気口２ｂが形成されている。
【００２７】
図４は、本体ケース２に収納された換気ユニット３の側面図を示しており、図５は、図４に示す換気ユニット３を矢印Ｃ方向より示した底面図である。
【００２８】
換気ユニット３は、図２〜図６に示すように換気ファンユニット（吸入手段）６と、上部換気用吸込部７ａと回路基盤部８を備えている。
【００２９】
換気ファンユニット６は、主板９ａの周縁部に多数の翼９ｂが設けられる換気シロッコファン（多翼ファン）９と、換気シロッコファン９を回転駆動する換気ファンモータ１０と、換気シロッコファン９を収納すると共に換気ファンモータ１０の取り付けが行われる換気ファンケース１１と有している。換気シロッコファン９は、換気ファンモータ１０の上方に位置しており、換気シロッコファン９は、上方に向けて立設された換気ファンモータ１０の回転軸１０ａに固定されている。
【００３０】
換気ファンケース１１は、図５に示すように、本体ケース２の排気口２ｂ方向に延設された筒状の排気案内部１１ａと、換気シロッコファン９よりも拡径をなす円柱状ケースの端部が側方に突出して凸状部１１ｂが形成され、この凸状部１１ｂに、排気案内部１１ａに連通する側部開口１１ｃが形成される排気ファンケース本体部１１ｄとにより構成されている。
【００３１】
換気シロッコファン９は、排気ファンケース本体部１１ｄの円形状空間部１１ｆにおいて、舌状部１１ｅ寄りに偏芯した状態で設置される。換気シロッコファン９が設置された換気ファンケース１１では、換気シロッコファン９に対向する換気ファンケース本体部１１ｄの内壁面により、舌状部１１ｅ付近を起点とし側部開口１１ｃを出口（導通路用出口）とする環状の導通路１２が形成される。なお、換気シロッコファン９が換気ファンケース本体部１１ｂに対して偏心した状態で設置されるため、導通路１２は起点から側部開口１１ｃに進むに従って通路幅が次第に拡幅された状態となる。
【００３２】
また、換気ファンケース本体部１１ｂの上面には、図２、図４に示すように、換気シロッコファン９の主板９ａを回転軸１０ａ方向から臨むようにして換気ファン吸込口１１ｇが形成されている。なお、換気ユニット３が本体ケース２に設置される場合には、本体ケース２の上面と換気ファン吸込口１１ｇとの間に、図２、図３および図４に示すように高さＬの空間が確保される。
【００３３】
換気ファンケース本体部１１ｂの凸状部１１ｂの側壁および上面には、図６に示すようにスリット状の補助開口（補助導入開口）１３が複数形成されている。この補助開口１３は、凸状部１１ｂに形成された側部開口１１ｃを臨むようにして形成されており、さらに各補助開口１３には、傾動板材（傾斜板材）１３ａが傾動可能に設置されている。
【００３４】
図７（ａ）、（ｂ）は、凸状部１１ｂの内側壁に形成された補助開口１３を示した拡大断面図である。傾動板材１３ａは、補助開口１３の内側、つまり導通路１２側に設けられており、補助開口１３の上流側の側縁部を開閉軸１３ｃとして内側に傾動することが可能な開閉扉としての役割を有している。傾動板材１３ａの横幅Ｒ１は、補助開口１３の開口幅Ｒよりも長くなるように規定されており、傾動板材１３ａが内側に傾動された場合であっても傾動板材１３ａの端部（下流側の端部）１３ｂが補助開口１３の側縁（下流側の側縁）位置１３ｄよりも側部開口１１ｃ寄りに位置する構造となっている。
【００３５】
また、傾動板材１３ａには傾動板材１３ａの傾動を行うための傾動機構１４が設けられている。傾動機構１４は、換気ファンケース本体部１１ｄの外壁面に沿って設けられる進退アーム１４ａと、進退アーム１４ａを進退動させるソレノイド１４ｂと、進退アーム１４ａの進退動に伴って各傾動板材１３ａを開閉させるリンク部材１４ｃとを備えている。ソレノイド１４ｂにより進退アーム１４ａが進退動を行うと、進退アームの進退に応じてリンク部材１４ｃが傾動板材１３ａを可動させ、傾動板材１３ａの傾斜角度を変更する構造となっている。ソレノイド１４ｂの進退動は回路基盤部８に設けられる制御部６０（図１１（ｂ）参照）によって制御される。なお、進退アーム１４ａを進退動させることが可能であるならばソレノイド１４ｂの代わりに他の駆動手段を用いることも可能である。
【００３６】
また、換気ファンケース本体部１１ｄの凸状部１１ｂの内壁底面（下面側の内壁）には、図５に示すように、導通路１２を通過する空気の整流を行うために整流部材（整流手段）１５が設けられている。整流部材１５は、底面に対して立設された板材であり、導通路１２の幅が広がるに従って互いの間隔が徐々に広がるようにして配設されている。
【００３７】
排気案内部１１ａは、一端が換気ファンケース本体部１１ｄの側部開口１１ｃに連結され、さらに多端が本体ケース２の排気口２ｂに連結される構造となっている。排気案内部１１ａがこのように連結されることにより、換気ファンケース１１の内部と本体ケース２の排気口２ｂが連通して排気風路１７が形成される。
【００３８】
上部換気用用吸込部７ａは、上面及び下面が開放した筒状の部材により形成されており、本体ケース２の上面と上部換気用吸込部７ａの上端部との間に前述した高さＬの空間が確保されるようにして、換気ファンユニット６の側方に設置される。
【００３９】
回路基盤部８は、換気ファンユニット６の側方であって他室排気吸込口２ｃの近傍位置に設置される。回路基板部８の内部には、浴室空調装置１の制御を行うための制御部６０を備えた回路基板等が収納されている。また、他室排気吸込口２ｃは、本体ケース２の上面と換気ファン吸込口１１ｇとの間に形成される高さＬの空間に連通されており、この空間により他室排気吸込口２ｃから換気ファン吸込口１１ｇへと繋がる他室排気吸込風路１８が形成される。
【００４０】
図８は、循環ユニット４の側方断面図を示しており、図９は、図８に示す循環ユニット４を矢印Ｄ方向より示した底面図である。
【００４１】
換気ユニット３は、図８、図９に示すように、循環ファンユニット（吸入手段）２０と、ヒータ２１と、下部換気用吸込部７ｂと、電動室２２とを備えている。
【００４２】
循環ファンユニット２０は、主板２５ａの周縁部に多数の翼２５ｂが設けられる循環シロッコファン（多翼ファン）２５と、循環シロッコファン２５を回転駆動する循環ファンモータ２６と、循環シロッコファン２５を収納すると共に循環ファンモータ２６の取り付けが行われる循環ファンケース２７と有している。循環ファンユニット２０では、循環ファンモータ２６が循環シロッコファン２５の上方に位置しており、循環シロッコファン２５は、下方に向けて垂設された循環ファンモータ２６の回転軸２６ａに固定されている。
【００４３】
循環ファンケース２７は、図８に示すように、循環ファンユニット２０の端部に形成される吹出口２３方向に延設された筒状の循環案内部２７ａと、循環シロッコファン２５よりも拡径をなす円柱状ケースの端部が側方に突出して凸状部２７ｂが形成され、この凸状部２７ｂに、循環案内部２７ａに連通する側部開口２７ｃが形成された循環ファンケース本体部２７ｄとにより構成されている。
【００４４】
循環シロッコファン２５は、循環ファンケース本体部２７ｄの円形状空間部２７ｆにおいて、舌状部２７ｅ寄りに偏芯した状態で設置される。循環シロッコファン２５が設置された循環ファンケース２７では、循環シロッコファン２５に対向する循環ファンケース本体部２７ｄの内面により、舌状部２７ｅを起点とし側部開口２７ｃを出口（導通出口）とする環状の導通路２８が形成される。なお、循環シロッコファン２５が循環ファンケース本体部２７ｄに対して偏心した状態で設置されるため、導通路２８は、起点となる舌状部２７ｅ付近から側部開口２７ｃに進むに従って通路幅が次第に拡幅された状態となる。
【００４５】
また、循環ファンケース本体部２７ｄの下面には、図８に示すように、循環シロッコファン２５の主板２５ａを回転軸２６ａ方向から臨むようにして循環用吸込口２７ｇが形成されている。
【００４６】
循環ファンケース本体部２７ｄの凸状部２７ｂの側壁および底面には、図８、図９に示すように、スリット状の補助開口（補助導入開口）３０が複数形成されている。この補助開口３０は、凸状部２７ｂに形成された側部開口２７ｃを臨むようにして形成されており、さらに各補助開口３０には、換気ファンケース１１に形成された補助開口１３と同様に、傾動板材（傾斜板材）３０ａが傾動可能に設置されている。
【００４７】
傾動板材３０ａは、補助開口３０の導通路２８側（内側）に設けられており、補助開口３０の上流側の側縁部を開閉軸３０ｃとして内側に傾動することが可能な開閉扉としての役割を有している。傾動板材３０ａの横幅は、補助開口３０の開口幅よりも長くなるように規定されており、傾動板材３０ａが内側に傾動された場合であっても傾動板材３０ａの端部３０ｂが補助開口３０の側縁３０ｄ位置よりも側部開口２７ｃ寄りに位置する構造となっている。
【００４８】
また、傾動板材３０ａには傾動板材３０ａの傾動を行うための傾動機構３１が設けられている。傾動機構３１は、循環ファンケース本体部２７ｄの外壁面に沿って設けられる進退アーム３１ａと、進退アーム３１ａを進退動させるソレノイド３１ｂと、進退アーム３１ａの進退動に伴って各傾動板材３０ａを開閉させるリンク部材３１ｃとを備えている。ソレノイド３１ｂにより進退アーム３１ａが進退動を行うと、進退アーム３１ａの進退に応じてリンク部材３１ｃが傾動板材３０ａを可動させ、傾動板材３０ａの傾斜角度を変更する構造となっている。ソレノイド３１ｂの進退動は回路基盤部８に設けられる制御部６０によって制御される。なお、傾動機構３１においても、進退アーム３１ａを進退動させることが可能であるならばソレノイド３１ｂの代わりに他の駆動手段を用いることが可能である。
【００４９】
また、循環ファンケース本体部２７ｄの凸状部２７ｂの内壁上面には、導通路２８を通過する空気の整流を行うために整流部材（整流手段）３５が設けられている。整流部材３５は、上面から下方に向かって垂直に設けられた板材であり、導通路２８の幅が広がるに従って互いの間隔が徐々に広がるようにして配設されている。
【００５０】
循環案内部２７ａは、一端が循環ファンケース本体部２７ｄの側部開口２７ｃに連結され、さらに他端が吹出口２３に連結される構造となっている。吹出口２３は開口を浴室の方向に向けて形成されており、循環案内部２７ａが側部開口２７ｃと吹出口２３とに連結されることによって、循環ファンケース２７の内部と吹出口２３とが連通して循環風路３７が形成される。
【００５１】
ヒータ２１は、循環案内部２７ａの内部に設けられている。ヒータ２１として、例えばＰＴＣ（Positive Temperature Coefficient）ヒータを用いることができる。なお、ヒータ２１はＰＴＣヒータに限定されるものではなく、カーボンヒータ等の他の加熱手段を用いてもよい。
【００５２】
下部換気用吸込部７ｂは、上面及び下面が開放した筒状の部材により形成されており、循環ファンユニット２０の側方に配設される。下部換気用吸込部７ｂの下面の開放部は、換気用吸込口３６を形成している。換気ユニット３が設置された本体ケース２に対して循環ユニット４が設置されると、循環ユニット４の下部換気用吸込部７ｂの上面と、換気ユニット３の上部換気用吸込部７ａの下面が接続された状態となる。上部換気用吸込部７ａと下部換気用吸込部７ｂとが連結され一体となることによって、換気用吸込口３６から換気ファン吸込口１１ｇへと繋がる換気用吸込風路３８が形成される。
【００５３】
また、下部換気用吸込部７ｂの換気用吸込口３６の近傍には、シャッタ４０が回動自在に設けられている。シャッタ４０のシャッタ軸４０ａは、下部換気用吸込部７ｂの壁面を貫通して循環ユニット４内部に形成された電動室２２内に進入している。電動室２２内に進入したシャッタ軸４０ａの端部には、第１駆動ギア４０ｃが固定されており、さらに第１駆動ギア４０ｃには、ステッピングモータ等のシャッタ開閉用のモータ４１の回転軸４１ａの先端に固定された第２駆動ギア４０ｄが噛合されている。第１駆動ギア４０ｃと第２駆動ギア４０ｄとが噛合しているため、モータ４１の駆動に応じてシャッタ軸４０ａが回転し、シャッタ４０の開閉が行われる。このモータ４１の駆動制御は、前述した回路基盤部８に設けられる制御部６０によって行われる。
【００５４】
このようにして構成される換気ユニット３と循環ユニット４とを本体ケース２に設置した後に、換気ファンモータ１０を駆動させて換気シロッコファン９を回転させ、さらに、モータ４１を駆動させて換気用吸込口３６を開放させると、換気シロッコファン９の回転に伴って、換気用吸込口３６より浴室空調装置１外部の空気が換気用吸込風路３８を介して吸入される。更に換気シロッコファン９の回転に伴って、他室排気吸込口２ｃより浴室外部の空気が他室排気吸込風路１８を介して吸入される。換気用吸込風路３８および他室排気吸込風路１８を介して換気ファンユニット６へと吸入された空気は、排気案内部１１ａと換気ファンケース本体部１１ｄに形成された導通路１２とにより形成された排気風路１７を介して排気口２ｂへと導かれて、浴室空調装置１の外部に排出される。
【００５５】
また、循環ファンモータ２６を駆動させて循環シロッコファン２５を回転させ、さらにヒータ２１を動作させると、循環シロッコファン２５の回転に伴って、浴室内の空気が循環用吸込口２７ｇを介して循環ファンユニット２０内に吸入される。循環ファンユニット２０へと吸入された空気は、循環ファンケース本体部２７ｄに形成された導通路１２および循環案内部２７ａにより形成された循環風路３７を介して吹出口２３へと導かれる。このとき、循環案内部２７ａを通過する空気は、ヒータ２１により暖められるため、ヒータ２１により温風となった空気が、浴室内に循環される。
【００５６】
フロントパネル５には、図１に示すように、下部換気用吸込部７ｂの換気用吸込口３６の設置位置に対応するようにして、換気用吸込口５ａが形成されており、また、循環ファンユニット２０の循環用吸込口２７ｇの設置位置に対応するようにして循環用吸込口５ｂが形成されている。さらに、フロントパネル５には、循環ユニット４の吹出口２３の設置位置に対応するようにして吹出口５ｃが形成されている。
【００５７】
次に、本実施形態に係る浴室空調装置１を浴室に設置する場合について説明する。図１０は、浴室空調装置１を、洗面所４２に隣接した浴室４３に設置した状態を示している。
【００５８】
浴室４３の天井パネル４３ａには、浴室空調装置１の本体ケース２を収納可能な開口部が形成されており、浴室空調装置１の本体ケース２をこの開口部より天井裏に収納することによって、浴室空調装置１が浴室４３に設置される。本体ケース２は、天井裏から吊り下げられるか、または天井パネル４３ａに固定されるようにして設置されており、固定された本体ケース２の下面に対して、フロントロントパネル５が浴室４３に露出するようにして取り付けられる。
【００５９】
浴室空調装置１の他室排気吸込口２ｃには、洗面所４２に設置された洗面所排気吸込口４５に一端が接続された他室排気ダクト４６が、他室排気ダクト接続部４７を介して接続されている。さらに、浴室空調装置１の排気口２ｂには、建物の外壁に設置された排気グリル４９に一端が接続された排気ダクト５０が、排気ダクト接続部５１を介して接続されている。
【００６０】
なお、本実施形態においては、浴室空調装置１に、他室排気吸込口２ｃを一つだけ設けて、洗面所４２の空気を他室排気吸込口２ｃを介して吸込み、吸込んだ空気を排気口２ｂを介して建物外に排気する構成としたが、浴室空調装置１に複数の他室排気吸込口２ｃを複数設け、複数の他室の空気を吸込むような構成としてもよい。また、浴室空調装置１に他室排気吸込口２ｃを設けず、他室からの空気の吸込みを行わない構成としてもよい。
【００６１】
浴室４３には、洗濯物等を吊すためのランドリパイプ５２を設置することが可能となっている。浴室空調装置１のヒータ２１で加熱れた温風をランドリパイプ５２に掛けられた洗濯物等に当てることによって、洗濯物を素早く乾かすことが可能となる。
【００６２】
また、浴室４３の入口には浴室ドア５３が設けられており、浴室ドア５３の下部には空気取入口５３ａ（ガラリ）５３ａが形成されている。浴室空調装置１により浴室４３内の空気の吸い込みが行われた場合には、浴室４３内の空気の吸い込みに伴って、洗面所４２の空気が空気取入口５３ａを介して浴室４３内に導かれる。
【００６３】
さらに、洗面所４２の壁面には、浴室空調装置１の操作を行うための操作パネル５５が設けられている。図１１（ａ）は、操作パネル５５の一例を示した図である。操作パネル５５は、表示部５５ａと、暖房運転モードを選択する暖房モードボタン５５ｂ、涼風運転モードを選択する涼風モードボタン５５ｃと、換気運転モードを選択する換気モードボタン５５ｄと、乾燥運転モードを選択する乾燥モードボタン５５ｅとが設けられている。また、選択した運転モードを利用者が確認できるように、例えば各ボタン５５ｂ〜５５ｄに対応してランプ５５ｆが設けられており、選択された運転モードのボタン５５ｂ〜５５ｄに対応してランプ５５ｆが点灯するようになっている。更に、タイマボタン５５ｇを設けて、設定した時間に所望の運転モードが実行開始または終了できるようにしてもよい。
【００６４】
また、操作パネル５５に設けられた操作ボタン５５ｂ〜５５ｄによってどの運転モードも選択されていない場合、浴室空調装置１は、２４時間換気運転モードによる運転を行う。所定の建物では２４時間換気を行うことが義務付けられており、２４時間換気では、住宅全体又は住宅の所定エリアの容積を所定の換気回数（例えば０．５回／時間）換気する必要がある。このため、一般的には、浴室空調装置１に２４時間換気運転モードを設けて、建物内の換気が行われている。
【００６５】
利用者が操作パネル５５を操作して、浴室空調装置１の運転モードの選択を行うと、図１１（ｂ）に示すように、選択された情報が回路基盤部８に収納された制御部６０に伝達される。制御部６０は、ＣＰＵ（Central Processing Unit）やメモリ等で構成されており、この制御部６０の制御によってヒータ２１と、換気ファンモータ１０と、循環ファンモータ２６と、シャッタ４０用のモータ４１と、換気ファンケース１１のソレノイド１４ｂと、循環ファンケース２７のソレノイド３１ｂとの駆動制御が行われる。制御部４１は、図示しないメモリ等に格納されたプログラム従って、利用者により選択された暖房運転モード、換気運転モード、涼風運転モード及び乾燥運転モード応じた制御を、換気ファンモータ１０、循環ファンモータ２６、モータ４１、ソレノイド１４ｂ、３４ｂに対して実行する。
【００６６】
次に、上述した運転モードに対応して実行される浴室空調装置１の動作について説明する。
【００６７】
＜換気運転モード・２４時間運転モードについて＞
図１２（ａ）（ｂ）は換気運転モード時の浴室空調装置１の動作状態と矢印で表した空気の流れとを示した図である。操作パネル５５において利用者により換気モードボタン５５ｄが押下されて、換気運転モードが選択されると、制御部６０は換気運転モードによる制御動作を実行する。
【００６８】
具体的に、制御部６０は、循環ファンモータ２６を停止させて循環シロッコファン２５の回転を止めると共にヒータ２１を停止させ、さらに、循環ファンケース２７のソレノイド３１ｂを駆動させて傾動板材３０ａによって補助開口３０を閉塞させた後にソレノイド３１ｂの動作を停止させる。また、制御部６０は、換気ファンモータ１０を駆動させて換気シロッコファン９を回転させると共に、シャッタ４０用のモータ４１を駆動してシャッタ４０を回動させて、下部換気用吸込部７ｂの換気用吸込口３６を開放させる。さらに制御部６０は、換気シロッコファン９の回転数に応じて換気ファンケース１１のソレノイド１４ｂを駆動させて傾動板材１３ａを内側（導通路１２側）へと傾動させる。
【００６９】
換気シロッコファン９が回転し、換気用吸込口３６が開放されると、図１２（ａ）、（ｂ）に示すように、フロントパネル５の換気用吸込口５ａを介して、換気用吸込口３６から浴室４３の空気が吸込まれる。換気用吸込口３６から吸込まれた空気は換気用吸込風路３８を通り、換気シロッコファン９によって換気ファンケース１１内に吸込まれる。
【００７０】
また、同時に、換気シロッコファン９の回転によって、洗面所４２の空気が他室排気ダクト４６を介して他室排気吸込口２ｃへと導かれ、他室排気吸込口２ｃへと導かれた空気は、他室排気吸込風路１８を通って換気ファンケース１１内に吸込まれる。
【００７１】
換気ファンケース１１内に吸込まれた空気は、換気ファンケース１１内に形成された導通路１２を通って導通路１２の出口となる側部開口１１ｃ方向へと導かれる。導通路１２を側部開口１１ｃ方向へと通過する気流は、凸状部１１ｂあたりから通路幅の拡幅が大きくなるので風速が増大する。これは、凸状部１１ｂ近傍で排気圧損が低くなっていることを示している。
【００７２】
ここで、換気ファンケース１１には補助開口１３が形成されており、制御部６０によりソレノイド１４ｂが駆動されて傾動板材１３ａが導通路１２側へと傾動されるので、補助開口１３が側部開口１１ｃを臨むようにして開放される。補助開口１３は側部開口１１ｃが形成される凸状部１１ｂに形成されており、さらに凸状部１１ｂ近傍では、上述したように排気圧損が低くなっているので、補助開口１３の開放により換気ファンケース１１外部の空気が補助開口１３を介して換気ファンケース１１内へと流入される。特に、補助開口１３が換気ファンケースの側面と上面とに設けられているので、より多くの外気を導入することが可能となる。
【００７３】
このように、側部開口１１ｃの近傍に、具体的には導通路１２の通路幅が広くなり、風速が増大される凸状部１１ｂに補助開口１３を設置することにより、換気ファンケース１１外部の空気を積極的に吸入させることができるので、換気シロッコファン９による導入風量を増大させることが可能となる。実際に凸状部１１ｂに補助開口１３を形成した換気ファンユニット６では、補助開口が形成されていない換気ファンユニットよりも約３％程度、導入風量を増大させることが可能となった。
【００７４】
また、導通路１２の起点（舌状部１１ｅ付近）から凸状部１１ｂの少し上流位置（舌状部１１ｅ付近から環状の導通路１２に沿って約３００度程度の位置）までの導通路１２では、排気圧損が高いため、補助開口１３を形成しても効率的に外気を導入することができない。また、導通路１２の起点寄りの位置に補助開口１３を形成すると、かえって補助開口１３による騒音等が発生してしまうというおそれがあった。従って、本実施形態に示すように、排気圧損が低下する凸状部１１ｂに補助開口１３を設置することによって、騒音の発生を抑制しつつ効果的に外気を導入することが可能となる。
【００７５】
さらに、補助開口１３には、傾動板材１３ａが傾動可能に設けられている。このため、例えば、換気シロッコファン９の回転速度が速くなって導通路１２を流れる気流が速い場合には、排気圧損が低減することとなるため、傾動板材１３ａの傾動角度を大きくして積極的に外気を導入することができる。また、換気シロッコファン９の回転速度が遅くなって導通路１２を流れる気流が遅い場合には、傾動板材１３ａの傾動角度を大きくしても排気圧損が高くなり外気を積極的に導入することが困難であるため、傾動板材１３ａの傾動角度を小さくして導通路１２の補助開口１３から空気が漏れたり空気の流れを阻害しないようにし、気流乱れによる騒音の発生を抑制することが可能となる。
【００７６】
さらに、傾動板材１３ａの横幅Ｒ１は、補助開口１３の開口幅Ｒよりも長くなるように規定されており、傾動板材１３ａが内側に傾動された場合であっても傾動板材１３ａの端部１３ｂが補助開口１３の側縁１３ｄ位置よりも側部開口１１ｃ寄りに位置する構造となっているので、傾動板材１３ａの表面に沿って流れる導通路１２の空気は、傾動板材１３ａの端部１３ｂで回り込みにくくなり、導通路１２を流れる空気が補助開口１３から外部に逃げてしまうことを抑制することが可能となる。
【００７７】
また、凸状部１１ｂの内壁底面には、整流部材１５が設けられているので、導通路１２を流れてくる空気の整流を行うことが可能となるとともに、凸状部１１ｂにおいて、補助開口１３を介して導入された空気と導通路１２を流れてくる空気とが合流して気流の乱れが発生することを防止し、円滑な空気の流れを生じさせることが可能となる。
【００７８】
このようにして、導通路１２を流れてくる空気に補助開口１３より流入された空気が加えられて風量が増大した気流は、側部開口１１ｃを通って排気案内部１１ａへと流れ、排気案内部１１ａにより形成される排気風路１７から排気口２ｂを通り、排気ダクト３７、排気グリル３８を介して屋外へと排気される。
【００７９】
換気ファンユニット６による浴室４３内の空気の吸入により、浴室４３内の空気が屋外に排気されるので、浴室ドア５３に設けた空気取入口５３ａから洗面所４２の空気が吸込まれることとなる。このように、換気運転モードで浴室空調装置１を稼働させることにより、浴室４３内の湯気や湿気を積極的に屋外へ排気することができるので、浴室４３の結露等を抑制することができ、カビの発生を抑えることが可能となる。
【００８０】
また、浴室空調装置１によって２４時間運転モードでの運転が行われる場合においても、制御部６０は、上述した換気運転モードの動作と同様に、循環ファンモータ２６を停止させるとともに傾動板材３０ａで補助開口３０を閉塞させ、さらに、換気ファンモータとを駆動させるとともにシャッタ４０を回動させて換気用吸込口３６を開放させ、換気ファンケース１１のソレノイド１４ｂを駆動させて傾動板材１３ａを内側（導通路１２側）へと傾動させる。
【００８１】
このように制御部６０が、２４時間換気運転モードの運転を開始する場合には、上述した換気運転モードと同様に空気が流れることとなり、建物内の換気を行うことが可能となる。このように２４時間換気を行う場合であっても、補助開口１３より換気ファンケース１１外部の空気を吸入することができるので、換気ファンユニット６における導入風量を増大させることが可能となる。
【００８２】
なお、２４時間換気運転モードでは、通常は換気ファンユニット６の換気ファンモータ１０が連続稼働されて常時換気が行われることとなるが、法規上、建物の換気回数として０．５回／時間の換気を実現できればよいので、この要件を満たす程度に換気ファンユニット６を断続稼働する構成としてもよい。
【００８３】
また、２４時間換気は必ずしも浴室４３だけの換気を目的とするものではないので、例えば、２４時間換気モードにより浴室空調装置１を稼働させる場合に、シャッタ４０の回動角度を少なくして換気用吸込口３６の開放量を少なくしてもよい。このように、換気用吸込口３６の開放量を少なくすることによって、浴室４３から吸入される風量よりも他室排気ダクト４６等を介して他室より吸入される風量の方が多くなるので、建物全体の換気効率を向上させることが可能となる。
【００８４】
また、２４時間換気モードによる運転を行う場合には、換気ファンユニット６の換気シロッコファン９の回転時間が昼夜問わず長くなる傾向にあるため、換気シロッコファン９の回転速度を遅くすることによって駆動音の低減を図るような構成とすることも可能である。
【００８５】
さらに、浴室空調装置１に複数の他室排気吸込口２ｃが設けられている場合には、他室排気ダクト接続部４７等に電動式のシャッタ等を設けて、シャッタの開度を変更するようにしてもよい。このようにシャッタの開度を変更することによって、他室より吸込まれる空気の量を調整することができ、住宅全体で換気される風量を所定の量に保つことが可能となる。
【００８６】
＜暖房モードについて＞
図１３（ａ）（ｂ）は暖房運転モード時の浴室空調装置１の動作状態と矢印で表した空気の流れとを示した図である。操作パネル５５において利用者により暖房モードボタン５５ｂが押下されて、暖房運転モードが選択されると、制御部６０は暖房運転モードによる制御動作を実行する。
【００８７】
具体的に、制御部６０は、換気ファンモータ１０を停止させて換気シロッコファン９の回転を止めると共に、換気ファンケース１１のソレノイド１４ｂを駆動させて傾動板材１３ａによって補助開口１３を閉塞させた後にソレノイド１４ｂの動作を停止させる。また、制御部６０は、シャッタ４０用のモータ４１を駆動させてシャッタ４０を回動させ、下部換気用吸込部７ｂの換気用吸込口３６を閉塞させる。さらに、制御部６０は、循環ファンモータ２６を駆動させて循環シロッコファン２５を回転させると共にヒータ２１を通電させ、循環シロッコファン２５の回転数に応じて循環ファンケース２７のソレノイド３１ｂを駆動させて傾動板材３０ａを内側（導通路２８側）へと傾動させる。
【００８８】
循環シロッコファン２５が回転すると、図１３（ａ）、（ｂ）に示すように、フロントパネル５の循環用吸込口５ｂを介して、循環用吸込口２７ｇから浴室４３の空気が吸込まれる。循環用吸込口２７ｇから吸込まれた空気は、循環シロッコファン２５によって循環ファンケース２７内に吸込まれる。
【００８９】
循環ファンケース２７内に吸込まれた空気は、循環ファンケース２７内に形成された導通路２８を通って導通路２８の出口となる側部開口２７ｃ方向へと導かれる。導通路２８を側部開口２７ｃ方向へと通過する気流は、凸状部２７ｂあたりから通路幅の拡幅が大きくなるので、排気圧損が低くなって風速が増大する。
【００９０】
ここで、循環ファンケース２７には補助開口３０が形成されており、制御部６０によりソレノイド３１ｂが駆動されて傾動板材３０ａが導通路２８側へと傾動されるので、補助開口３０が側部開口２７ｃを臨むようにして開放される。補助開口３０は側部開口２７ｃが形成される凸状部２７ｂに形成されており、さらに凸状部２７ｂ近傍では、上述したように排気圧損が低くなっているので、補助開口３０の開放により循環ファンケース２７外部の空気が補助開口３０を介して循環ファンケース２７内へと流入される。特に、補助開口３０が循環ファンケース２７の側面と底面とに設けられているので、より多くの外気を導入することが可能となる。
【００９１】
このように、側部開口２７ｃの近傍に、具体的には導通路２８の通路幅が広くなり、風速が増大される凸状部２７ｂに補助開口３０を設置することにより、循環ファンケース２７外部の空気を積極的に吸入させることができるので、循環シロッコファン２５による導入風量を増大させることが可能となる。
【００９２】
特に、本実施形態に示すように、排気圧損が低下する凸状部２７ｂに補助開口３０を設置することによって、より効果的に外気を導入することが可能となる。
【００９３】
さらに、補助開口３０には、傾動板材３０ａが傾動可能に設けられている。このため、例えば、循環シロッコファン２５の回転速度が速くなって導通路２８を流れる気流が速い場合には、排気圧損が低減することとなるため、傾動板材３０ａの傾動角度を大きくして積極的に外気を導入することができる。また、循環シロッコファン２５の回転速度が遅くなって導通路２８を流れる気流が遅い場合には、傾動板材３０ａの傾動角度を大きくしても排気圧損が高くなり外気を積極的に導入することが困難であるため、傾動板材３０ａの傾動角度を小さくして導通路２８の補助開口３０から空気が漏れたり空気の流れを阻害しないようにし、気流乱れによる騒音の発生を抑制することが可能となる。
【００９４】
さらに、傾動板材３０ａの横幅は、補助開口３０の開口幅よりも長くなるように規定されており、傾動板材３０ａが内側に傾動された場合であっても傾動板材３０ａの端部３０ｂが補助開口３０の側縁３０ｄ位置よりも側部開口２７ｃ寄りに位置する構造となっているので、傾動板材３０ａの表面に沿って流れる導通路２８の空気は、傾動板材３０ａの端部３０ｂで回り込みにくくなり、導通路２８を流れる空気が補助開口３０から外部に逃げてしまうことを抑制することが可能となる。
【００９５】
また、凸状部２７ｂの内壁上面には、整流部材３５が設けられているので、導通路２８を通過する空気の整流を行うことが可能となるとともに、凸状部２７ｂにおいて、補助開口３０を介して導入された空気と導通路２８を流れてくる空気とが合流して気流の乱れが発生することを防止し、円滑な空気の流れを生じさせることが可能となる。
【００９６】
導通路２８を流れてくる空気に補助開口３０より流入された空気が加えられて風量が増大した気流は、側部開口２７ｃを通って循環案内部２７ａへと流れ、循環案内部２７ａに設けられたヒータ２１により暖められた後に、吹出口２３およびフロントパネル５の吹出口５ｃを介して浴室４３内に吹出される。
【００９７】
このようにして、浴室空調装置１を暖房運転モードで動作させることにより、浴室４３内の空気を循環させながら暖房して、浴室内の温度を上げることができる。浴室空調装置１を暖房運転モードで動作させることによって、浴室４３内をあらかじめ暖めておくこと（いわゆる予備暖房）ができるので、入浴開始時に利用者が寒さを感じることなく快適に入浴を行うことが可能となる。また、入浴の最中に浴室４３内に吹き出す温風量を少なくして浴室４３を暖めること（いわゆる入浴暖房）によって、洗場４３ｂで体を洗う場合等においても利用者が寒さを感じることなく快適に入浴を行うことができる。
【００９８】
なお、上述実施形態では、換気ファンモータ１０を停止させて換気シロッコファン９は回転させないこととしたが、洗面所４２等の他室から吸込んだ空気を排気するために、シャッタ４０で換気用吸込口３６を閉塞した状態で換気シロッコファン９を回転させるようにしてもよい。換気用吸込口３６を閉塞した状態で換気シロッコファン９を回転させることにより、浴室４３内の暖められた空気は換気ファンユニット６で吸い込まれにくくなるので、暖かい空気が浴室４３外に逃げることを防止することができる。
【００９９】
＜乾燥モードおよび涼風モードについて＞
図１４（ａ）、（ｂ）は、乾燥運転モード時の浴室空調装置１の動作状態と矢印で表した空気の流れとを示した図である。操作パネル５５において利用者により乾燥モードボタン４２ｄが押下されて、乾燥運転モードが選択されると、制御部６０は乾燥運転モードによる制御動作を実行する。
【０１００】
具体的に、制御部６０は、換気ファンモータ１０を駆動させて換気シロッコファン９を回転させる共に、換気シロッコファン９の回転数に応じて換気ファンケース１１のソレノイド１４ｂを駆動させて傾動板材１３ａを内側（導通路１２側）へと傾動させる。また、制御部６０は、シャッタ用のモータ４１を駆動させてシャッタ４０を回動させ、下部換気用吸込部７ｂの換気用吸込口３６を開放させる。さらに、制御部６０は、循環ファンモータ２６を駆動させて循環シロッコファン２５を回転させると共にヒータ２１を通電させ、循環シロッコファン２５の回転数に応じて循環ファンケース２７のソレノイド３１ｂを駆動させて傾動板材３０ａを内側（導通路２８側）へと傾動させる。
【０１０１】
換気シロッコファン９が回転し、換気用吸込口３６が開放されると、図１４（ａ）、（ｂ）に示すように、フロントパネル５の換気用吸込口５ａを介して、換気用吸込口３６から浴室４３の空気が吸込まれる。換気用吸込口３６から吸込まれた空気は、換気用吸込風路３８を通り、換気シロッコファン９によって換気ファンケース１１内に吸込まれる。
【０１０２】
また、同時に、換気シロッコファン９の回転によって、洗面所４２の空気が他室排気ダクト４６を介して他室排気吸込口２ｃに導かれ、他室排気吸込口２ｃへと導かれた空気は、他室排気吸込風路１８を通って換気ファンケース１１内に吸込まれる。
【０１０３】
換気ファンケース１１内に吸込まれた空気は、換気ファンケース１１内に形成された導通路１２を通って導通路１２の出口となる側部開口１１ｃ方向へと導かれる。導通路１２を側部開口１１ｃ方向へと流れ気流は、凸状部１１ｂあたりから通路幅の拡幅が大きくなるので、排気圧損が低くなって風速が増大する。
【０１０４】
ここで、換気ファンケース１１には補助開口１３が形成されており、制御部６０によりソレノイド１４ｂが駆動されて傾動板材１３ａが導通路１２側へと傾動されるので、補助開口１３が側部開口１１ｃを臨むようにして開放される。補助開口１３は側部開口１１ｃが形成される凸状部１１ｂに形成されており、さらに凸状部１１ｂ近傍では、上述したように排気圧損が低くなっているので、補助開口１３の開放により換気ファンケース１１外部の空気が補助開口１３を介して換気ファンケース１１内へと流入される。特に、補助開口１３が換気ファンケースの側面と上面とに設けられているので、より多くの外気を導入することが可能となる。
【０１０５】
このように、側部開口１１ｃの近傍に、具体的には導通路１２の通路幅が広くなり、風速が増大される凸状部１１ｂに補助開口１３を設置することにより、換気ファンケース１１外部の空気を積極的に吸入させることができるので、換気シロッコファンによる導入風量を増大させることが可能となる。
【０１０６】
特に、本実施形態に示すように、排気圧損が低下する凸状部１１ｂに補助開口１３を設置することによって、より効果的に外気を導入することが可能となる。
【０１０７】
さらに、補助開口１３には、傾動板材１３ａが傾動可能に設けられている。このため、例えば、換気シロッコファン９の回転速度が速くなって導通路１２を流れる気流が速い場合には、排気圧損が低減することとなるため、傾動板材１３ａの傾動角度を大きくして積極的に外気を導入することができる。また、換気シロッコファン９の回転速度が遅くなって導通路１２を流れる気流が遅い場合には、傾動板材１３ａの傾動角度を大きくしても排気圧損が高くなり外気を積極的に導入することが困難であるため、傾動板材１３ａの傾動角度を小さくして導通路１２の補助開口１３から空気が漏れたり空気の流れを阻害しないようにし、気流乱れによる騒音の発生を抑制することが可能となる。
【０１０８】
さらに、傾動板材１３ａの横幅は、補助開口１３の開口幅Ｒよりも長くなるように規定されており、傾動板材１３ａが内側に傾動された場合であっても傾動板材１３ａの端部１３ｂが補助開口１３の側縁１３ｄ位置よりも側部開口１１ｃ寄りに位置する構造となっているので、傾動板材１３ａの表面に沿って流れる導通路１２の空気は、傾動板材１３ａの端部１３ｂで回り込みにくくなり、導通路１２を流れる空気が補助開口１３から外部に逃げてしまうことを抑制することが可能となる。
【０１０９】
また、凸状部１１ｂの内壁底面には、整流部材１５が設けられているので、導通路１２を流れてくる空気の整流を行うことが可能となるとともに、凸状部１１ｂにおいて、補助開口１３を介して導入された空気と導通路１２を流れてくる空気とが合流して気流の乱れが発生することを防止し、円滑な空気の流れを生じさせることが可能となる。
【０１１０】
このようにして導通路１２を流れてくる空気に補助開口１３より流入された空気が加えられて風量が増大した気流は、側部開口１１ｃを通って排気案内部１１ａへと流れ、排気案内部１１ａにより形成される排気風路１７から排気口２ｂを通り、排気ダクト５０、排気グリル４９を介して屋外へと排気される。
【０１１１】
一方で、循環シロッコファン２５が回転すると、図１４（ａ）、（ｂ）に示すように、フロントパネル５の循環用吸込口５ｂを介して、循環用吸込口２７ｇから浴室４３の空気が吸込まれる。循環用吸込口２７ｇから吸込まれた空気は、循環シロッコファン２５によって循環ファンケース２７内に吸込まれる。
【０１１２】
循環ファンケース２７内に吸込まれた空気は、循環ファンケース２７内に形成された導通路２８を通って導通路２８の出口となる側部開口２７ｃ方向へと導かれる。導通路２８を側部開口２７ｃ方向へと通過する気流は、凸状部２７ｂあたりから通路幅の拡幅が大きくなるので、排気圧損が低くなって風速が増大する。
【０１１３】
ここで、循環ファンケース２７には補助開口３０が形成されており、制御部６０によりソレノイド３１ｂが駆動されて傾動板材３０ａが導通路２８側へと傾動されるので、補助開口３０が側部開口２７ｃを臨むようにして開放される。補助開口３０は側部開口２７ｃが形成される凸状部２７ｂに形成されており、さらに凸状部２７ｂ近傍では、上述したように排気圧損が低くなっているので、補助開口３０の開放により循環ファンケース２７外部の空気が補助開口３０を介して循環ファンケース２７内へと流入される。特に、補助開口３０が循環ファンケース２７の側面と底面とに設けられているので、より多くの外気を導入することが可能となる。
【０１１４】
このように、側部開口２７ｃの近傍に、具体的には導通路２８の通路幅が広くなり、風速が増大される凸状部２７ｂに補助開口３０を設置することにより、循環ファンケース２７外部の空気を積極的に吸入させることができるので、循環シロッコファン２５による導入風量を増大させることが可能となる。
【０１１５】
特に、本実施形態に示すように、排気圧損が低下する凸状部２７ｂに補助開口３０を設置することによって、より効果的に外気を導入することが可能となる。
【０１１６】
さらに、補助開口３０には、傾動板材３０ａが傾動可能に設けられている。このため、例えば、循環シロッコファン２５の回転速度が速くなって導通路２８を流れる気流が速い場合には、排気圧損が低減することとなるため、傾動板材３０ａの傾動角度を大きくして積極的に外気を導入することができる。また、循環シロッコファン２５の回転速度が遅くなって導通路２８を流れる気流が遅い場合には、傾動板材３０ａの傾動角度を大きくしても排気圧損が高くなり外気を積極的に導入することが困難であるため、傾動板材３０ａの傾動角度を小さくして導通路２８の補助開口３０から空気が漏れたり空気の流れを阻害しないようにし、気流乱れによる騒音の発生を抑制することが可能となる。
【０１１７】
さらに、傾動板材３０ａの横幅は、補助開口３０の開口幅よりも長くなるように規定されており、傾動板材３０ａが内側に傾動された場合であっても傾動板材３０ａの端部３０ｂが補助開口３０の側縁３０ｄ位置よりも側部開口２７ｃ寄りに位置する構造となっているので、傾動板材３０ａの表面に沿って流れる導通路２８の空気は、傾動板材３０ａの端部３０ｂで回り込みにくくなり、導通路２８を流れる空気が補助開口３０から外部に逃げてしまうことを抑制することが可能となる。
【０１１８】
さらに、凸状部２７ｂの内壁上面には、整流部材３５が設けられているので、導通路２８を通過する空気の整流を行うことが可能となるとともに、凸状部２７ｂにおいて、補助開口３０を介して導入された空気と導通路２８を流れてくる空気とが合流して気流の乱れが発生することを防止し、円滑な空気の流れを生じさせることが可能となる。
【０１１９】
導通路２８を流れてくる空気に補助開口３０より流入された空気が加えられて風量が増大した気流は、側部開口２７ｃを通って循環案内部２７ａへと流れ、循環案内部２７ａに設けられたヒータ２１により暖められた後に、吹出口２３およびフロントパネル５の吹出口５ｃを介して浴室４３内に吹出される。
【０１２０】
このように、浴室空調装置１を乾燥モードで動作させることによって、換気ユニット３により浴室４３内の空気を屋外に排出させつつ、循環ユニット４で浴室４３内を暖めることができるので、浴室４３内のランドリパイプ５２に吊した衣類の乾燥等を行うことが可能となる。また、浴室４３内の空気の一部が屋外に排気され、空気取入口５３ａから洗面所４２等の空気を取り込むことによって浴室４３内の換気が行われるので、湿気等を排出して、洗濯物の乾燥を促進することができる。
【０１２１】
なお、利用者によって操作パネル５５の涼風モードボタン５５ｃが押下されて、涼風運転モードが選択された場合、制御部６０は、ヒータ２１が停止される以外、上述した乾燥運転モードと同様の制御動作を実行する。このため、浴室空調装置１が涼風運転モードにより動作された場合であっても、上述した乾燥運転モードによる動作と同じように、補助開口１３、３０より多くの外気を導入することができるので、換気ファンユニット６および循環ファンユニット２０における導入風量を増大させることが可能となる。
【０１２２】
また、涼風運転モードにより浴室空調装置１が稼働されることによって、浴室３２内の湿度の高い空気を排気し、浴室３２内の空気を循環させながら浴室３２内の温度に応じた涼風を吹き出すことができるので、浴室空調装置１を夏場等に扇風機として使用することが可能となる。
【０１２３】
以上説明したように、本発明に係る送風装置を備えた浴室空調装置１では、換気ファンケース１１および循環ファンケース２７の凸状部１１ｂ、２７ｂに、側部開口１１ｃ、２７ｃを臨むようにして補助開口１３、３０が形成されており、この凸状部１１ｂ、２７ｂ近傍では、導通路１２、２８を流れる排気圧損が低くなっているので、補助開口１３、３０を介して換気ファンケース１１および循環ファンケース２７の外部から積極的に外気を導入することができ、ファンによる導入風量を増大させることが可能となる。
【０１２４】
特に、補助開口１３は換気ファンケース１１の側面と底面とに設けられ、補助開口３０は循環ファンケース２７の側面と上面とに設けられているので、より多くの外気を導入することが可能となる。また、本実施形態に示すように、排気圧損が低下する凸状部１１ｂ、２７ｂに補助開口１３、３０を設置することによって、より効果的に外気を導入することが可能となる。
【０１２５】
さらに、補助開口１３、３０には、傾動板材１３ａ、３０ａが傾動可能に設けられているため、例えば、ファンの回転速度が速くなって導通路１２、２８を流れる気流が速くなり、排気圧損が低減する場合には、傾動板材１３ａ、３０ａの傾動角度を大きくして積極的に外気を導入することができる。また、ファンの回転速度が遅くなって導通路１２、２８を流れる気流が遅くなり、傾動板材１３ａ、３０ａの傾動角度を大きくしても排気圧損が低下せず外気を積極的に導入することが困難である場合には、傾動板材１３ａ、３０ａの傾動角度を小さくして導通路１２、２８の補助開口１３、３０から空気が漏れたり空気の流れを阻害しないようにし、気流乱れによる騒音の発生を抑制することが可能となる。
【０１２６】
また、傾動板材１３ａ、３０ａの横幅は、補助開口１３、３０の開口幅よりも長くなるように規定されており、傾動板材１３ａ、３０ａが内側に傾動された場合であっても傾動板材１３ａ、３０ａの端部１３ｂ、３０ｂが補助開口１３、３０の側縁１３ｄ、３０ｄ位置よりも側部開口１１ｃ、２７ｃ寄りに位置する構造となっているので、傾動板材１３ａ、３０ａの表面に沿って流れる導通路１２、２８の空気は、傾動板材１３ａ、３０ａの端部１３ｂ、３０ｂで回り込みにくくなり、導通路１２、２８を流れる空気が補助開口１３、３０から外部に逃げてしまうことを抑制することが可能となる。
【０１２７】
さらに、凸状部１１ｂの内壁底面および凸状部２７ｂの内壁上面には、整流部材１５、３５が設けられているので、導通路１２、２８を流れてくる空気の整流を行うことが可能となるとともに、凸状部２７ｂ、２７ｂにおいて、補助開口１３、３０を介して導入された空気と導通路１２、２８を流れてくる空気とが合流して気流の乱れが発生することを防止し、円滑な空気の流れを生じさせることが可能となる。
【０１２８】
以上、浴室空調装置１の実施形態を、運転モード毎に場合分けをして説明したが、本発明に係る送風装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【０１２９】
例えば、上述した実施形態では、ユニット化された循環ファンユニット２０および換気ファンユニット６を用いて説明を行った、ファンは必ずしもユニット化されたものに限定されるものではなく、ファン、モータ等が別体に構成されるものであってもよい。さらに、上記実施形態では、送風用のファンとしてシロッコファンを用いる場合について説明を行ったが、ファンは必ずしもシロッコファンに限定されるものではなく、ラジアルファンのような多翼ファンを用いるものであってもよい。
【０１３０】
また、上記実施形態では、換気ユニット３を循環ユニット４の上側に配置した構成例を示して説明を行ったが、本発明に係る送風装置は、循環ユニット４が換気ユニット３の上側に配置される構成としても良い。
【０１３１】
さらに、上記実施形態では、循環ユニット４と換気ユニット３とを用いて空気の換気と循環とを別々のファンユニットで行う浴室空調装置１を説明したが、換気ファンユニット６と循環ファンユニット２０とを１台のファンユニットで兼用し、ダンパー等を用いて空気の換気および循環を制御する構造としてもよい。このような構造とした場合であっても、補助開口１３、３０を設けて外気を吸入することにより、ファンユニットの吸入風量を増大させることが可能となる。
【０１３２】
また、上記実施形態に示した浴室空調装置１は、換気シロッコファン９の回転軸１０ａと循環シロッコファン２５の回転軸２６ａとを鉛直向きに配置する構成としたが、換気シロッコファン９の回転軸１０ａと循環シロッコファン２５の回転軸２６ａとを水平向きに配置する構成にしてもよい。
【０１３３】
さらに、上記実施形態に示した浴室空調装置１は、換気ファンユニット６と循環ファンユニット２０とを上下に配置する構成としたが、換気ファンユニット６と循環ファンユニット２０とを左右に配置する構成にしてもよい。
【０１３４】
また、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【０１３５】
【図１】実施形態に係る浴室空調装置を示す斜視図である。
【図２】図１に示す浴室空調装置のＡ−Ａ断面を示す側方断面図である。
【図３】図１に示す浴室空調装置のＢ−Ｂ断面を示す側方断面図である。
【図４】実施形態に係る換気ユニットが本体ケースに収納された状態を示す側方断面図である。
【図５】図４に示す換気ユニット３を矢印Ｃ方向より示した底面図である。
【図６】実施形態に係る換気ファンユニットを示す斜視図である。
【図７】実施形態に係る補助開口と駆動機構との構成を示した概略構成図である。
【図８】実施形態に係る循環ユニットを示す側方断面図である。
【図９】図８に示す循環ユニットを矢印Ｄ方向より示した底面図である。
【図１０】実施形態に係る浴室空調装置を、浴室に設置した状態を示す概略構成図である。
【図１１】（ａ）は、実施形態に操作パネルを示した図であり、（ｂ）は、浴室空調装置の制御機能を示したブロック図である。
【図１２】換気運転モード時における浴室空調装置の動作状態と空気の流れとを示した浴室空調装置の断面図である。
【図１３】暖房運転モード時における浴室空調装置の動作状態と空気の流れとを示した浴室空調装置の断面図である。
【図１４】乾燥運転モード時における浴室空調装置の動作状態と空気の流れとを示した浴室空調装置の断面図である。
【符号の説明】
【０１３６】
１     …浴室空調装置（送風装置）
２     …本体ケース
２ａ   …フランジ
２ｂ   …排気口
２ｃ   …他室排気吸込口
３     …換気ユニット
４     …循環ユニット
５     …フロントパネル
５ａ   …（フロントパネルの）換気用吸込口
５ｂ   …（フロントパネルの）循環用吸込口
５ｃ   …（フロントパネルの）吹出口
６     …換気ファンユニット（吸入手段）
７ａ   …上部換気用吸込部
７ｂ   …下部換気用吸込部
８     …回路基盤部
９     …換気シロッコファン（多翼ファン）
９ａ   …（換気シロッコファンの）主板
９ｂ   …（換気シロッコファンの）翼
１０   …換気ファンモータ
１０ａ  …（換気ファンモータの）回転軸
１１   …換気ファンケース
１１ａ  …排気案内部
１１ｂ  …（換気ファンケースの）凸状部
１１ｃ  …（換気ファンケースの）側部開口（導通路用出口）
１１ｄ  …ファンケース本体部
１１ｅ  …（換気ファンケースの）舌状部
１１ｆ  …（換気ファンケースの）円形状空間部
１１ｇ  …換気ファン吸込口
１２   …（換気ファンケースの）導通路
１３   …（換気ファンケースの）補助開口（補助導入開口）
１３ａ  …（換気ファンケースの）傾動板材（傾斜板材）
１３ｂ  …（換気ファンケースの傾動板材の）端部
１３ｃ  …（換気ファンケースの傾動板材の）開閉軸
１３ｄ  …（換気ファンケースの補助開口の）側縁
１４   …（換気ファンケースの）傾動機構
１４ａ  …（換気ファンケースの）進退アーム
１４ｂ  …（換気ファンケースの）ソレノイド
１４ｃ  …（換気ファンケースの）リンク部材
１５   …（換気ファンケースの）整流部材（整流手段）
１７   …排気風路
１８   …他室排気吸込風路
２０   …循環ファンユニット（吸入手段）
２１   …ヒータ
２２   …電動室
２３   …（循環ユニットの）吹出口
２５   …循環シロッコファン（多翼ファン）
２５ａ  …（循環シロッコファンの）主板
２５ｂ  …（循環シロッコファンの）翼
２６   …循環ファンモータ
２６ａ  …（循環ファンモータの）回転軸
２７   …循環ファンケース
２７ａ  …循環案内部
２７ｂ  …（循環ファンケースの）凸状部
２７ｃ  …（循環ファンケースの）側部開口（導通路用出口）
２７ｄ  …循環ファンケース本体部
２７ｅ  …（循環ファンケースの）舌状部
２７ｆ  …（循環ファンケースの）円形状空間部
２７ｇ  …循環用吸込口
２８   …（循環ファンケースの）導通路
３０   …（循環ファンケースの）補助開口（補助導入開口）
３０ａ  …（循環ファンケースの）傾動板材（傾斜板材）
３０ｂ  …（循環ファンケースの傾動板材の）端部
３０ｃ  …（循環ファンケースの傾動板材の）開閉軸
３０ｄ  …（循環ファンケースの補助開口の）側縁
３１   …（循環ファンケースの）傾動機構
３１ａ  …（循環ファンケースの）進退アーム
３１ｂ  …（循環ファンケースの）ソレノイド
３１ｃ  …（循環ファンケースの）リンク部材
３５   …（循環ファンケースの）整流部材（整流手段）
３６   …換気用吸込口
３７   …循環風路
３８   …換気用吸込風路
４０   …シャッタ
４０ａ   …シャッタ軸
４０ｃ  …第１駆動ギア
４０ｄ  …第２駆動ギア
４１   …（シャッタの）モータ
４１ａ  …（シャッタのモータの）回転軸
４２   …洗面所
４３   …浴室
４３ａ  …天井パネル
４３ｂ  …洗場
４５   …洗面所排気吸込口
４６   …他室排気ダクト
４７   …他室排気ダクト接続部
４９   …排気グリル
５０   …排気ダクト
５１   …排気ダクト接続部
５２   …ランドリパイプ
５３   …浴室ドア
５３ａ  …空気取入口
５５   …操作パネル
５５ａ  …表示部
５５ｂ  …暖房モードボタン
５５ｃ  …涼風モードボタン
５５ｄ  …換気モードボタン
５５ｅ  …乾燥モードボタン
５５ｆ  …ランプ
５５ｇ  …タイマボタン
６０   …制御部
【図１】
2007270714.tif 000003
【図２】
2007270714.tif 000004
【図３】
2007270714.tif 000005
【図４】
2007270714.tif 000006
【図５】
2007270714.tif 000007
【図６】
2007270714.tif 000008
【図７】
2007270714.tif 000009
【図８】
2007270714.tif 000010
【図９】
2007270714.tif 000011
【図１０】
2007270714.tif 000012
【図１１】
2007270714.tif 000013
【図１２】
2007270714.tif 000014
【図１３】
2007270714.tif 000015
【図１４】
2007270714.tif 000016